(57)【要約】【課題】本発明は、強力サポート荷下ろし垂直リフトに関し、簡易な構成にして重量の重い強力サポートを安全に荷下ろしできる垂直リフトを提供することが課題である。【解決手段】建物の複数階に亘る上階と下階とに配設されたプーリ間に架設され回転するリフト用無端ワイヤ５と、前記リフト用無端ワイヤに間隔を置いて固定される複数の荷受け台６と、前記上階のプーリ３は、リフト架台によって高さ調整アングルを介して吊持され、前記下階のプーリ４は、スラブ固定治具を有するリフト基台９に支持され、前記リフト基台には前記下階のプーリを回転駆動させる駆動装置１０が設けられ、前記リフト架台と前記リフト基台とには、前記上下移動駆動装置を駆動させるスイッチ１３，１４が夫々設けられ、この上下両方のスイッチが共に駆動側に押されたときのみ前記駆動装置１０が駆動する強力サポート荷下ろし垂直リフト１とするものである。【選択図】図１
2009062729.tif 000002
【特許請求の範囲】
【請求項１】
建物の複数階に亘る上階と下階とに配設されたプーリ間に架設され回転するリフト用無端ワイヤと、
前記リフト用無端ワイヤに間隔を置いて固定される複数の荷受け台と、
前記上階のプーリは、リフト架台によって高さ調整アングルを介して吊持され、
前記下階のプーリは、スラブ固定治具を有するリフト基台に支持され、
前記リフト基台には前記下階のプーリを回転駆動させる駆動装置が設けられ、
前記リフト架台と前記リフト基台とには、前記駆動装置を駆動させるスイッチが夫々設けられ、この上下両方のスイッチが共に駆動側に押されたときのみ前記駆動装置が駆動されること、
を特徴とする強力サポート荷下ろし垂直リフト。
【請求項２】
振れ止めガイド線が、リフト架台とリフト基台との間で、且つ、プーリ間の荷受けして降下する側の荷受け台における背面両端部に摺接するように架設されていること、
を特徴とする請求項１に記載の強力サポート荷下ろし垂直リフト。
【請求項３】
荷受け台は、側面視でＬ字形に形成されており、その上部の中央部でリフト用無端ワイヤにピン結合され、プーリ間の荷受けせずに上昇する側において前記ピン結合部を中心に前記荷受け台が回転して荷受けできない状態になること、
をとする請求項１乃至２のいずれかに記載の強力サポート荷下ろし垂直リフト。
【請求項４】
荷受け台は、その受け台の中央前端部に、リフト基台に設置されたリミットスイッチが通過する切欠き部が設けられていること、
を特徴とする請求項１乃至３のいずれかに記載の強力サポート荷下ろし垂直リフト。
【発明の詳細な説明】
【技術分野】
【０００１】
本発明は、例えば、建物の解体工事現場に置いて、解体重機などの重量物を支える強力サポートを下階に転用し、盛替えるための垂直リフトに関するものである。
【背景技術】
【０００２】
鉄筋コンクリート造の建物を解体する場合には、図９に示すように、その建物の最上階に解体用の重機を載せて解体するので、最上階から下の２〜３階部分の梁・スラブが不意に崩落しないようにこれらを補強する必要がある。その補強材としては、一般に、図１０に示すように、強力サポート２５が使用される。
【０００３】
前記強力サポート２５は、通常のパイプサポートの重量が１０ｋｇ程度の重量であるのに対して、５０〜７０ｋｇ（長さは約１．８ｍ〜３．２ｍ）と極めて重い。これを従来例１として、図９に示すように、例えば、滑車２６を使用して、開口部からロープ等により強力サポート２５を吊持し、上階と下階とで口頭で連絡しながら、荷下ろしを行っている。
【０００４】
また、従来例２として、前記強力サポートの荷下ろしを省くために、既存の床スラブにコンクリートなどで現場打ちの束柱を構築して、床スラブの垂直方向の補強を行った後、解体重機を搬入して上階から下階へと順次、前記束柱ごと解体して行く方法も知られている（特許文献１参照）。
【特許文献１】特開２００６−２２５９４９号公報
【発明の開示】
【発明が解決しようとする課題】
【０００５】
しかし、従来例１においては、人が直接ロープで支えて強力サポート２５を荷下ろししており、揚重機が使えず、時間が掛かり作業効率が悪い。また、小さな開口部からロープを使用しての荷下ろしであるので、危険作業であり、上階と下階との連絡が口頭で行うのであるが、周囲の解体騒音によりほとんど聞き取ることができないので、危険が伴うという課題がある。上階で解体が終わると下階で盛替えて強力サポートを使用するので、重量物でありながら、簡易な装置しか使用できないでいる。前記従来例２では、現場打ちの束柱ごと解体するのであるが、この束柱を構築するのに手間と時間とコストが掛かるものである。本発明に係る強力サポート荷下ろし垂直リフトは、安全性を確保して簡易に且つ迅速に強力サポートを盛替えるて従来の課題を解決するために提案されたものである。
【課題を解決するための手段】
【０００６】
本発明に係る強力サポート荷下ろし垂直リフトの上記課題を解決して目的を達成するための要旨は、建物の複数階に亘る上階と下階とに配設されたプーリ間に架設され回転するリフト用無端ワイヤと、前記リフト用無端ワイヤに間隔を置いて固定される複数の荷受け台と、前記上階のプーリは、リフト架台によって高さ調整アングルを介して吊持され、前記下階のプーリは、スラブ固定治具を有するリフト基台に支持され、前記リフト基台には前記下階のプーリを回転駆動させる駆動装置が設けられ、前記リフト架台と前記リフト基台とには、前記駆動装置を駆動させるスイッチが夫々設けられ、この上下両方のスイッチが共に駆動側に押されたときのみ前記駆動装置が駆動されることである。
【０００７】
前記振れ止めガイド線が、リフト架台とリフト基台との間で、且つ、プーリ間の荷受けして降下する側の荷受け台における背面両端部に摺接するように架設されていること、；
前記荷受け台は、側面視でＬ字形に形成されており、その上部の中央部でリフト用無端ワイヤにピン結合され、プーリ間の荷受けせずに上昇する側において前記ピン結合部を中心に前記荷受け台が回転して荷受けできない状態になること、；
前記荷受け台は、その受け台の中央前端部に、リフト基台に設置されたリミットスイッチが通過する切欠き部が設けられていること、
を含むものである。
【発明の効果】
【０００８】
本発明の強力サポート荷下ろし垂直リフト（以下、単に垂直リフトということあり）によれば、重量の重い強力サポートを安全に、荷下ろしできる。また、荷下ろしの作業効率が向上する。本発明に係る垂直リフトは、低コストの装置であり、他の現場への転用が可能であり、ランニングコストを低減できる。荷下ろし時には、上階と下階とのスイッチが両方共に「ＯＮ」状態にならないと、プーリ用の駆動装置が動かないので、解体作業中の騒音の中でも、作業の安全性を高めることができる。
【０００９】
荷受け台は、リフト用無端ワイヤにピン結合されていて、プーリ間の荷受けせずに上昇する側において、回転して背面側が表側になり荷受け台の荷受け部が斜めになって使用できない状態になるので、作業員が誤用しないようにすることができる。このように、本発明の垂直リフトは、一方向のみ使用するものである。
前記荷受け台は、その受け台の中央前端部に、リフト基台に設置されたリミットスイッチが通過する切欠き部が設けられているので、強力サポートが荷受け台に存在するときには、前記リミットスイッチが自動的に切り替わり、無端ワイヤの移動が停止し、垂直リフトの自動運転が可能となり、安全性も向上する。
【発明を実施するための最良の形態】
【００１０】
本発明に係る強力サポート荷下ろし垂直リフト１は、図１乃至図２に示すように、これから解体しようとする対象物であるコンクリート造の建物２の、複数階（例えば、３〜４階程度）に亘る上階と下階とに配設されたプーリ３，４間に架設され回転するリフト用無端ワイヤ５と、前記リフト用無端ワイヤ５に間隔を置いて固定される複数の荷受け台６と、前記上階のプーリ３は、スラブ２ａ上に載置されるリフト架台７によって高さ調整アングル８を介して吊持され、前記下階のプーリ４は、スラブ２ａを挟持することで固定作用するスラブ固定治具９ａを有するリフト基台９に支持されている。
【００１１】
前記リフト基台９には前記下階のプーリ４を回転駆動させる駆動装置１０が設けられている。この駆動装置１０は、モータとそのモータ用減速機との組み合わせからなる。
【００１２】
前記リフト架台７は、通常は、スラブ２ａ上に載置されるが、この垂直リフト１の下階への盛替えの際には、図３に示すように、上階開口部２ｂに係止される吊持基台１１に設けられた盛替え用の上下移動装置、例えば、チェーンブロック（０．５ton）１２ａにより上下移動自在に吊持される。
【００１３】
このリフト架台７の大きさは、一例としてその高さが、建物２の一階分の階高より小さく、縦横が１１０×１６０ｃｍ程度である。よって、このリフト架台７の長手方向の脚部は、図８の左図に示すように、上階開口部２ｂの開口部の短手方向の長さより長いので、跨いで載置される。
【００１４】
また、前記リフト架台７に設けられたチェーンブロック１２により、高さ調整アングル８が上下動されて、この高さ調節アングル８に回転自在に支持されるプーリ３の、上下方向の位置調節が行われる。このプーリ３は、一例として直径３０ｃｍである。
【００１５】
前記リフト架台７と前記リフト基台９とには、図２（Ｂ）に示すように、前記駆動装置１０を駆動させるスイッチ１３，１４が夫々設けられ、この上下両方のスイッチ１３，１４が共に駆動側に押されたときのみ前記駆動装置１０が駆動するものである。これにより、作業員の安全を図るためである。
【００１６】
前記荷受け台６は、図４乃至図５に示すように、プーリ３，４間に架設された無端ワイヤ５に左右方向の中央部で固定されているのであるが、水平方向に回転してしまうおそれがある。そこで、その振れ止めのために、振れ止めガイド線１５が、リフト架台７とリフト基台９との間で、且つ、プーリ３，４間の荷受けして降下する側Ａの荷受け台６における背面両端部に摺接するように架設されている。
【００１７】
前記荷受け台６は、その形状が側面視でＬ字形に形成されており、受け台６ａが２０×３０ｃｍ程度の大きさである。また、荷受け台６の上部の中央部で、リフト用無端ワイヤ５にピン結合され、プーリ３，４間の荷受けせずに上昇する側Ｂにおいて、前記ピン結合部５ａを中心に前記荷受け台６が重力により自然に回転して、図２（Ａ）に示すように、背面６ｂと受け台６ａとが三角形状態になって、荷を置く部分が無く荷受けできない状態になる。
【００１８】
前記荷受け台６は、図４（Ｂ）と図５（Ｂ）とに示すように、その受け台６ａの中央前端部に、リフト基台９に設置されたリミットスイッチ１６が通過する切欠き部６ｃが設けられている。これにより、図５（Ａ）に示すように、受け台６ａに強力サポート２５が存在すると、その底部に衝突して前記リミットスイッチ１６が切り替わり、自動的に駆動装置１０の駆動が停止するものである。
【００１９】
なお、図３に示すように、前記リフト架台７とリフト基台９との間には、互いに軸心周りに回転しないように、振れ止めワイヤ１７が上下方向で平行に緊張して架設されている。
【００２０】
このようにしてなる本発明の垂直リフト１を使用すれば、図６に示すように、上階（９階）の強力サポート２５を、その上柱管を縮退させて略下柱管の長さにして、作業者１８ａが前記垂直リフト１の荷受け台６に載せる。この強力サポート２５の上部は、荷受け台６にバンド状の固定手段、若しくは紐状の固定手段で縛って固定しておく。そして前記作業者１８ａが、スイッチ１３における青ランプのスイッチを押す。
【００２１】
下階（例えば、６階）の作業者１８ｂが、強力サポート２５の盛替えを行い、次の強力サポート２５を受け取ろうとして、スイッチ１４における青ランプのスイッチを押す。すると、スイッチ１３，１４の両方において、青ランプのスイッチがＯＮとなり、駆動装置１０が駆動する。前記駆動装置１０のモータが所定方向に回転し、減速装置を介してプーリ４を所定の速度で所定方向に回転させる。
【００２２】
前記プーリ４の回転によって、無端ワイヤ５を介して上のプーリ３も同方向に回転する。荷受けして降下する側Ａの強力サポート２５が順次、下に降下する。前記強力サポート２５の下部下面が、図５（Ｂ）に示すように、切欠き部６ｃに臨むリミットスイッチ１６に当接してこれを押し、当該リミットスイッチ１６のスイッチが入ると、前記駆動装置１０の駆動が停止する。また、同時に、前記スイッチ１３，１４において、停止スイッチがＯＮとなって赤ランプが点灯する。
【００２３】
その後、下階の作業者１８ｂが、前記固定手段を緩めてほどき、強力サポート２５を荷受け台６から取り出す。これにより、前記リミットスイッチ１６が元に戻るが、前記スイッチ１３，１４は赤ランプが点灯した状態のままであり、駆動装置１０が駆動することはない。このような作業を繰り返して、上階から下階に強力サポート２５を盛替えるものである。解体作業で周囲の騒音がひどくて聞き取り難い状況でも、前記スイッチ１３，１４が共に青ランプのスイッチがＯＮにならない限り、荷受け台６が降下しないので、作業者１８ａ，１８ｂの安全性が確保される。
【００２４】
また、垂直リフト１の荷受けせずに上昇する側Ｂにおいては、荷受け台６がピン結合部５ａよりも背面と受け台６ａとが上位置になって、前記ピン結合部５ａを中心に回転して、図６（Ａ）に示すように、無端ワイヤ５に受け台６ａの先端部が当たって、三角状になる。この状態では、誤って他の荷物を荷受け台６に載せたりすることができないので、安全である。このように、荷受け台６は、一方向でのみ使用できるようにしてある。
【００２５】
次に、図７（Ａ），（Ｂ）に示すように、この垂直リフト１を解体工事の進捗によって下階に盛替えるには、吊持基台１１を上階開口部２ｂに架設し、その吊持基台１１のチェーンブロック１２ａを使用してそのチェーンをリフト架台７に繋着する。そして、強力サポート２５が荷受け台６に載っていない状態で、前記チェーンブロック１２ａで、リフト架台７，無端ワイヤ５，荷受け台６及びプーリ３，４を持ち上げて、更に、このリフト架台７を水平に９０度回転させる。
【００２６】
すると、図８に示すように、上階開口部２ｂに脚部で跨っていたリフト架台７が、その長手方向が前記上階開口部２ｂの長手方向に平行になり、リフト架台７の根が手方向の長さが短いので、通過できるようになる。
【００２７】
こうして、前記チェーンブロック１２ａにより、下階に降ろし、リフト架台７を再び９０度回転させて元に戻すことで、図８に示すように、右図から左図へと変わり、脚部が上階開口部２ｂを跨ぐようになる。そして、リフト基台９を、図２（Ｂ）に示すように、スラブ固定治具９ａで下階のスラブに固定させる。
【００２８】
その後、リフト架台７におけるチェーンブロック１２で高さ調整アングル８を上下移動させて、垂直リフト１をプーリ３，４間に張架する。前記吊持基台１１及びチェーンブロック１２ａは前記上開口部２ｂから撤去する。このようにして、垂直リフト１の盛替えを繰り返すものである。
【００２９】
なお、解体工事の状況により、上階にチェーンブロック１２ａを設置しないで、リフト架台７のチェーンブロック１２により、リフト本体（プーリ３，４、無端ワイヤ５、荷受け架台６，駆動装置１０）のみを下階に盛替えることもできる。
【００３０】
本発明の垂直リフト１においては、前記リフト本体の駆動装置１０のモータを逆回転させて、荷揚げ用に使用することもできる。
【図面の簡単な説明】
【００３１】
【図１】本発明に係る強力サポート荷下ろし垂直リフト１の使用状態の正面図（Ａ）と側面図（Ｂ）とである。
【図２】同本発明の強力サポート荷下ろし垂直リフト１におけるリフト本体の構成を示す正面図（Ａ）と、側面図（Ｂ）とである。
【図３】同垂直リフト１を盛替えする場合に、上階にチェーンブロック１２ａを使用する場合の一部拡大詳細正面図である。
【図４】同垂直リフト１における、一部の拡大詳細側面図（Ａ），平面図（Ｂ），正面図（Ｃ）である。
【図５】同垂直リフト１における使用状態の一部拡大側面図（Ａ）、平面図（Ｂ）、正面図（Ｃ）である。
【図６】同垂直リフト１を使用して、強力サポート２５を荷下ろしする様子を示す説明図であり、正面図（Ａ）と側面図（Ｂ）とである。
【図７】同垂直リフト１を下階に盛替える様子を説明する正面図８Ａ）と、側面図（Ｂ）とである。
【図８】リフト架台７を上開口部２ｂに通過させるように９０度回転させることを示す説明図である。
【図９】従来例１に係る解体工事における、強力サポート２５の荷下ろしの様子を示す説明図である。
【図１０】強力サポート２５の正面図である。
【符号の説明】
【００３２】
１          強力サポート荷下ろし垂直リフト、
２          建物、                            ２ａ      スラブ、
２ｂ        上階開口部、
３，４      プーリ、
５          無端ワイヤ、                      ５ａ        ピン結合部、    
６          荷受け台、                        ６ａ        受け台、    
６ｂ        背面、                            ６ｃ        切欠き部、                    
７          リフト架台、
８          高さ調整アングル、
９          リフト基台、                      ９ａ        スラブ固定治具、
１０        駆動装置、
１１        吊持基台、
１２        チェーンブロック、                １２ａ      チェーンブロック、
１３，１４  スイッチ、
１５        振れ止めガイド線、
１６        リミットスイッチ、
１７        振れ止めワイヤ、
１８ａ，１８ｂ  作業者、
２５        強力サポート。
【図１】
2009062729.tif 000003
【図２】
2009062729.tif 000004
【図３】
2009062729.tif 000005
【図４】
2009062729.tif 000006
【図５】
2009062729.tif 000007
【図６】
2009062729.tif 000008
【図７】
2009062729.tif 000009
【図８】
2009062729.tif 000010
【図９】
2009062729.tif 000011
【図１０】
2009062729.tif 000012